(57)【要約】【課題】ワークに不用意な外力が発生するのを防止できるワーク引取装置を提供する。【解決手段】本発明は、ワーク加工機１から長さ方向に沿って斜め下向きに排出される長尺なワークＷを引き取るためのワーク引取装置を対象とする。ワーク加工機１から排出されたワークＷを受け取って長さ方向に沿って搬送する一方、ワーク加工機１から排出されるワークＷの排出角度に対応する傾斜姿勢と、水平姿勢との間で揺動自在な上流側搬送機２１と、上流側搬送機２１より搬送されたワークＷを受け取って長さ方向に沿って搬送する下流側搬送機２２〜２４と、を備える。傾斜姿勢に保持した状態の上流側搬送機２１によって、ワーク加工機１からワークＷを受け取って搬送するとともに、ワーク後端がワーク加工機１から排出された後、上流側搬送機２１を水平姿勢に戻す。【選択図】図１
2008161892.tif 000002
【特許請求の範囲】
【請求項１】
ワーク加工機から長さ方向に沿って斜め下向きに排出される長尺なワークを引き取るためのワーク引取装置であって、
ワーク加工機から排出されたワークを受け取って長さ方向に沿って搬送する一方、ワーク加工機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ワーク加工機からワークを受け取って搬送するとともに、ワーク後端がワーク加工機から排出された後、上流側搬送機を水平姿勢に戻すようにしたことを特徴とするワーク引取装置。
【請求項２】
傾斜姿勢に配置された上流側搬送機のワーク搬送面が、ワーク加工機から排出されるワークの排出方向延長線上に沿って配置される請求項１に記載のワーク引取装置。
【請求項３】
互いに独立状態に配置され、かつワークを受け取って長さ方向に搬送可能な複数のコンベアを備え、
複数のコンベアのうち、最も上流側に配置される１番目のコンベアによって、上流側搬送機が構成されるとともに、残りのコンベアによって、下流側搬送機が構成される請求項１または２に記載のワーク引取装置。
【請求項４】
１番目のコンベアは、その下流側端部がベースフレームに回転自在に取り付けられて、その下流側端部を支点にして、上流側端部が昇降駆動手段によって昇降駆動することにより、１番目のコンベアが揺動するよう構成される請求項３に記載のワーク引取装置。
【請求項５】
１番目のコンベアは、ワークの前端を検出するワーク前端検出器を有し、
ワーク前端検出器によってワークの前端が検出された際に、１番目のコンベアによるワークの搬送が開始されるよう構成される請求項３または４に記載のワーク引取装置。
【請求項６】
１番目のコンベアは、ワークの後端を検出するワーク後端前端検出器を有し、
ワーク後端検出器によってワークの後端が検出された際に、１番目のコンベアによるワークの搬送が停止されるよう構成される請求項３〜５のいずれか１項に記載のワーク引取装置。
【請求項７】
コンベアは、複数のベルトプーリーと、複数のベルトプーリー間に架け渡されたコンベアベルトとを含む請求項３〜６のいずれか１項に記載のワーク引取装置。
【請求項８】
コンベアベルトに、ワークを支持するための複数のワーク受具が所定の間隔おきに設けられる請求項７に記載のワーク引取装置。
【請求項９】
ワークとして、アルミニウムまたはその合金製の管材が用いられる請求項１〜８のいずれか１項に記載のワーク引取装置。
【請求項１０】
ワーク加工機がロール矯正機によって構成される請求項１〜９のいずれか１項に記載のワーク引取装置。
【請求項１１】
ワーク加工機から長さ方向に沿って斜め下向きに排出される長尺なワークを引き取るための複数のコンベアがワーク搬送方向に沿って並んで配置されるとともに、その複数のコンベアのうち最も上流側に配置され、かつワーク加工機から排出されたワークを受け取って長さ方向に搬送するワーク引取装置の第１コンベアであって、
ワーク加工機から排出されるワークの排出角度に対応する傾斜姿勢と、水平姿勢との間で揺動自在に構成される一方、
傾斜姿勢に保持した状態で、ワーク加工機からワークを受け取って搬送するとともに、ワーク後端がワーク加工機から排出された後、水平姿勢に戻すようにしたことを特徴とするワーク引取装置の第１コンベア。
【請求項１２】
ロール矯正機から長さ方向に沿って斜め下向きに排出される長尺なワークを引き取るための矯正機出側のワーク引取装置であって、
ロール矯正機から排出されたワークを受け取って長さ方向に沿って搬送する一方、ロール矯正機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ロール矯正機からワークを受け取って搬送するとともに、ワーク後端がワーク加工機から排出された後、上流側搬送機を水平姿勢に戻すようにしたことを特徴とする矯正機出側のワーク引取装置。
【請求項１３】
長尺なワークを長さ方向に沿って斜め下向きに排出するロール矯正機と、ロール矯正機から排出されるワークを引き取るためのワーク引取装置と、を備えたワーク矯正引取設備であって、
ワーク引取装置は、
ロール矯正機から排出されたワークを受け取って長さ方向に沿って搬送する一方、ロール矯正機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ロール矯正機からワークを受け取って搬送するとともに、ワーク後端がワーク加工機から排出された後、上流側搬送機を水平姿勢に戻すようにしたことを特徴とするワーク矯正引取設備。
【請求項１４】
ロール矯正機は、一対の矯正ロールがワーク搬送経路に沿ってアーチ状に複数設けられる請求項１３に記載のワーク矯正引取設備。
【請求項１５】
ワーク加工機から長さ方向に沿って斜め下向きに排出される長尺なワークを引き取るためのワーク引取方法であって、
ワーク加工機から排出されたワークを受け取って長さ方向に沿って搬送する一方、ワーク加工機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を準備しておき、
傾斜姿勢に保持した状態の上流側搬送機によって、ワーク加工機からワークを受け取って搬送するとともに、ワーク後端がワーク加工機から排出された後、上流側搬送機を水平姿勢に戻すようにしたことを特徴とするワーク引取方法。
【発明の詳細な説明】
【技術分野】
【０００１】
この発明は例えば、ロール矯正機等のワーク加工機から排出される長尺なワークを引き取るためのワーク引取装置およびその関連技術に関する。
【背景技術】
【０００２】
引抜加工されたアルミニウム管等の長尺なワークを矯正する装置としては例えば、特許文献１に示すようなロール矯正機が周知である。
【０００３】
このロール矯正機は、ワークの搬送経路に沿って、一対の矯正ロールが複数組配置されており、ワークを一対の矯正ロール間に順次通過させることによって矯正するようにしている。
【０００４】
このようなロール矯正機（１）は例えば図７に示すように、上下一対の矯正ロール（１１）〜（１５）が５組設けられており、１番目および最後の矯正ロール（１１）（１５）が最低位置に配置され、中間位置の矯正ロール（１３）が最高位置に配置されるように、複数の矯正ロール（１１）〜（１５）がアーチ状に配置されている。従って矯正機（１）から排出されるワーク（Ｗ）は、斜め下向きの状態で搬出されていく。
【０００５】
また従来において、上記のようなロール矯正機（１）から排出されるワーク（Ｗ）を引き取るワーク引取装置（１００）は、ワーク（Ｗ）の排出方向（搬送方向）に沿って水平に配置されるコンベア（１０１）を備えている。このコンベア（１０１）には、複数のワーク受具（１０２）が所定の間隔置きに設けられている。そしてコンベア（１０１）が回転駆動する一方、ロール矯正機（１）から排出されるワーク（Ｗ）がワーク受具（１０２）に順次支持されて、ワーク（Ｗ）が長さ方向に沿って搬送されていく。続いて、ワーク（Ｗ）の基端部（後端部）がロール矯正機（１）から排出されて、ワーク受具（１０２）に支持されると、コンベア（１０１）の回転が停止する。こうしてワーク（Ｗ）がロール矯正機（１）からワーク引取装置（１００）に受け渡される。
【特許文献１】特開２０００−９４０３６号（図１，２）
【発明の開示】
【発明が解決しようとする課題】
【０００６】
しかしながら、上記従来のロール矯正機（１）はワーク（Ｗ）を斜め下向きに排出するのに対し、そのワーク（Ｗ）を引き取るワーク引取装置（１００）のコンベア（１０１）は水平方向に沿って配置されている。このためワーク（Ｗ）の前端部がコンベア（１０１）に設置された際に、コンベア（１０１）によってワーク（Ｗ）が上向きに押されることにより、ワーク（Ｗ）に対し上向きに不用意な外力（Ｆ）が発生してしまうという問題があった。このようにワーク（Ｗ）に対し上向きの不用意な外力（Ｆ）が発生すると例えば、ワーク（Ｗ）が、最終の矯正ロール（１５）（１５）における片側（上側）の矯正ロール（１５）だけに偏って強く圧接し、矯正を確実に行うことができない場合が生じる。
【０００７】
この発明は、上記の課題に鑑みてなされたものであり、ワークに不用意な外力が発生するのを防止することができるワーク引取装置およびその関連技術を提供することを目的とする。
【課題を解決するための手段】
【０００８】
上記目的を達成するため、本発明は以下の構成を要旨とする。
【０００９】
［１］  ワーク加工機から長さ方向に沿って斜め下向きに排出される長尺なワークを引き取るためのワーク引取装置であって、
ワーク加工機から排出されたワークを受け取って長さ方向に沿って搬送する一方、ワーク加工機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ワーク加工機からワークを受け取って搬送するとともに、ワーク後端がワーク加工機から排出された後、上流側搬送機を水平姿勢に戻すようにしたことを特徴とするワーク引取装置。
【００１０】
なお本明細書において、「上流側」とは「ワーク搬送方向に対し上流側」という意味で用いられ、同様に「下流側」とは「ワーク搬送方向に対し下流側」という意味で用いられている。
【００１１】
［２］  傾斜姿勢に配置された上流側搬送機のワーク搬送面が、ワーク加工機から排出されるワークの排出方向延長線上に沿って配置される前項１に記載のワーク引取装置。
【００１２】
［３］  互いに独立状態に配置され、かつワークを受け取って長さ方向に搬送可能な複数のコンベアを備え、
複数のコンベアのうち、最も上流側に配置される１番目のコンベアによって、上流側搬送機が構成されるとともに、残りのコンベアによって、下流側搬送機が構成される前項１または２に記載のワーク引取装置。
【００１３】
［４］  １番目のコンベアは、その下流側端部がベースフレームに回転自在に取り付けられて、その下流側端部を支点にして、上流側端部が昇降駆動手段によって昇降駆動することにより、１番目のコンベアが揺動するよう構成される前項３に記載のワーク引取装置。
【００１４】
［５］  １番目のコンベアは、ワークの前端を検出するワーク前端検出器を有し、
ワーク前端検出器によってワークの前端が検出された際に、１番目のコンベアによるワークの搬送が開始されるよう構成される前項３または４に記載のワーク引取装置。
【００１５】
［６］  １番目のコンベアは、ワークの後端を検出するワーク後端前端検出器を有し、
ワーク後端検出器によってワークの後端が検出された際に、１番目のコンベアによるワークの搬送が停止されるよう構成される前項３〜５のいずれか１項に記載のワーク引取装置。
【００１６】
［７］  コンベアは、複数のベルトプーリーと、複数のベルトプーリー間に架け渡されたコンベアベルトとを含む前項３〜６のいずれか１項に記載のワーク引取装置。
【００１７】
［８］  コンベアベルトに、ワークを支持するための複数のワーク受具が所定の間隔おきに設けられる前項７に記載のワーク引取装置。
【００１８】
［９］  ワークとして、アルミニウムまたはその合金製の管材が用いられる前項１〜８のいずれか１項に記載のワーク引取装置。
【００１９】
［１０］  ワーク加工機がロール矯正機によって構成される前項１〜９のいずれか１項に記載のワーク引取装置。
【００２０】
［１１］  ワーク加工機から長さ方向に沿って斜め下向きに排出される長尺なワークを引き取るための複数のコンベアがワーク搬送方向に沿って並んで配置されるとともに、その複数のコンベアのうち最も上流側に配置され、かつワーク加工機から排出されたワークを受け取って長さ方向に搬送するワーク引取装置の第１コンベアであって、
ワーク加工機から排出されるワークの排出角度に対応する傾斜姿勢と、水平姿勢との間で揺動自在に構成される一方、
傾斜姿勢に保持した状態で、ワーク加工機からワークを受け取って搬送するとともに、ワーク後端がワーク加工機から排出された後、水平姿勢に戻すようにしたことを特徴とするワーク引取装置の第１コンベア。
【００２１】
［１２］  ロール矯正機から長さ方向に沿って斜め下向きに排出される長尺なワークを引き取るための矯正機出側のワーク引取装置であって、
ロール矯正機から排出されたワークを受け取って長さ方向に沿って搬送する一方、ロール矯正機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ロール矯正機からワークを受け取って搬送するとともに、ワーク後端がワーク加工機から排出された後、上流側搬送機を水平姿勢に戻すようにしたことを特徴とする矯正機出側のワーク引取装置。
【００２２】
［１３］  長尺なワークを長さ方向に沿って斜め下向きに排出するロール矯正機と、ロール矯正機から排出されるワークを引き取るためのワーク引取装置と、を備えたワーク矯正引取設備であって、
ワーク引取装置は、
ロール矯正機から排出されたワークを受け取って長さ方向に沿って搬送する一方、ロール矯正機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を備え、
傾斜姿勢に保持した状態の上流側搬送機によって、ロール矯正機からワークを受け取って搬送するとともに、ワーク後端がワーク加工機から排出された後、上流側搬送機を水平姿勢に戻すようにしたことを特徴とするワーク矯正引取設備。
【００２３】
［１４］  ロール矯正機は、一対の矯正ロールがワーク搬送経路に沿ってアーチ状に複数設けられる前項１３に記載のワーク矯正引取設備。
【００２４】
［１５］  ワーク加工機から長さ方向に沿って斜め下向きに排出される長尺なワークを引き取るためのワーク引取方法であって、
ワーク加工機から排出されたワークを受け取って長さ方向に沿って搬送する一方、ワーク加工機から排出されるワークの排出角度に対応する傾斜姿勢と、水平姿勢との間で揺動自在な上流側搬送機と、
上流側搬送機より搬送されたワークを受け取って長さ方向に沿って搬送する下流側搬送機と、を準備しておき、
傾斜姿勢に保持した状態の上流側搬送機によって、ワーク加工機からワークを受け取って搬送するとともに、ワーク後端がワーク加工機から排出された後、上流側搬送機を水平姿勢に戻すようにしたことを特徴とするワーク引取方法。
【発明の効果】
【００２５】
発明［１］のワーク引取装置によれば、ワーク加工機から排出されたワークの前端を受け取る際には、ワークの排出角度に合わせて、上流側搬送機を傾斜させているため、その上流側搬送機がワークの排出方向に沿うよう配置される。従ってワークが上流側搬送機に受け渡される際に、ワークに対し上向きに不用意な外力が発生するのを防止できて、ワークを外力が加わらない自然な状態で受け取ることができる。
【００２６】
発明［２］のワーク引取装置によれば、傾斜姿勢の上流側搬送機の搬送面を、ワークの排出方向延長線上に配置しているため、ワークに対し不用意な外力が発生するのを確実に防止することができる。
【００２７】
発明［３］のワーク引取装置によれば、搬送機をコンベアによって構成しているため、ワークをスムーズに搬送することができる。
【００２８】
発明［４］のワーク引取装置によれば、１番目のコンベアをスムーズに揺動させることができる。
【００２９】
発明［５］のワーク引取装置によれば、ワークの搬送開始を的確なタイミングで行うことができる。
【００３０】
発明［６］のワーク引取装置によれば、ワークの搬送停止を的確なタイミングで行うことができる。
【００３１】
発明［７］のワーク引取装置によれば、ワークをよりスムーズに搬送することができる。
【００３２】
発明［８］のワーク引取装置によれば、ワークをコンベアによって安定状態に支持することができる。
【００３３】
発明［９］のワーク引取装置によれば、アルミニウムまたはその合金製の管材を処理することができる。
【００３４】
発明［１０］のワーク引取装置によれば、矯正後のワークを処理することができる。
【００３５】
発明［１１］のワーク引取装置の第１コンベアによれば、上記と同様に、ワークに対し上向きに不用意な外力が発生するのを防止でき、ワークを外力が加わらない自然な状態で受け取ることができる。
【００３６】
発明［１２］の矯正機出側のワーク引取装置によれば、上記と同様に、ワークが上流側搬送機に受け渡される際に、ワークに対し上向きに不用意な外力が発生するのを防止することができる。従って矯正時に外力による悪影響がなくなり、ワークの矯正を確実に行うことができる。
【００３７】
発明［１３］のワーク矯正引取設備によれば、上記と同様に、ワークが上流側搬送機に受け渡される際に、ワークに対し上向きに不用意な外力が発生するのを防止できて、ワークを外力が加わらない自然な状態で受け取ることができる。
【００３８】
発明［１４］のワーク矯正引取設備によれば、ワークを確実に矯正することができる。
【００３９】
発明［１５］のワーク引取方法によれば、上記と同様に、ワークが上流側搬送機に受け渡される際に、ワークに対し上向きに不用意な外力が発生するのを防止できて、ワークを外力が加わらない自然な状態で受け取ることができる。
【発明を実施するための最良の形態】
【００４０】
図１，２はこの発明のワーク引取装置（２）が適用されたワーク矯正引取設備を示す側面図である。両図に示すように、この矯正引取設備は、アルミニウムまたはその合金製の引抜管等によって構成される長尺なワーク（Ｗ）を矯正するロール矯正機（１）と、その矯正機（１）から排出されるワーク（Ｗ）を引き取って一時的に保管するワーク引取装置（２）とを備えている。
【００４１】
ロール矯正機（１）は、上下一対で５組の矯正ロール（１１）〜（１５）を有している。５組の矯正ロール（１１）〜（１５）のうち、第１矯正ロール（１１）は矯正機入口（１６）側に配置されるとともに、矯正機出口（１７）側に第５矯正ロール（１５）が配置されるように、矯正機内のワーク搬送経路に沿って、第１〜第５矯正ロール（１１）〜（１５）が所定の間隔おきに順次配置されている。
【００４２】
さらに矯正ロール（１１）〜（１５）はワーク搬送経路に沿ってアーチ状に配置されている。すなわち１番目の第１矯正ロール（１１）および最後の第５矯正ロール（１５）は最低位置に配置されるとともに、中間位置の第３矯正ロール（１３）は最高位置に配置され、これらの各間に第２および第４矯正ロール（１２）（１４）が配置されている。
【００４３】
そしてアーチ状に配置された矯正ロール（１１）〜（１５）を順次ワーク（Ｗ）が通過して、ワーク（Ｗ）が矯正された後、第５矯正ロール（１５）からワーク（Ｗ）が斜め下向きの状態で排出されるようになっている。
【００４４】
また図５に示すようにロール矯正機（１）には、パーソナルコンピュータ等によって構成される制御装置（１０）が設けられており、この制御装置（１０）がロール矯正機（１）の各駆動部の駆動を制御して、後述する動作が行われるようになっている。
【００４５】
一方図１，２に示すように、ワーク引取装置（２）は、互いに独立した状態の４台の第１〜第４コンベア（２１）〜（２４）を備えている。第１コンベア（２１）は、ワーク搬送経路に対し最も上流側に配置されて、ロール矯正機（１）の出口（１７）に対応して配置されている。さらに第１コンベア（２１）から下流側に順次第２〜第４コンベア（２２）〜（２４）が配置されている。
【００４６】
なお本実施形態においては、第１コンベア（２１）によって、上流側搬送機および１番目のコンベアが構成されるとともに、第２〜第４コンベア（２２）〜（２４）によって、下流側搬送機および残りのコンベアが構成されている。
【００４７】
図１〜３に示すように第１コンベア（２１）は、ワーク搬送方向に沿って配置された状態で、後述するように下流側端部を支点として上下方向に揺動自在に支持されている。
【００４８】
第１コンベア（２１）は、サイドフレーム（３１）を有し、サイドフレーム（３１）の前後にベルトプーリー（３２）（３２）が回転自在に取り付けられるとともに、サイドフレーム（３１）の下部前後には、ブラケット（３８）（３８）を介してベルトプーリー（３３）（３３）が回転自在に取り付けられている。そしてこれらのベルトプーリー（３２）（３３）間にコンベアベルト（３４）が架け渡されている。
【００４９】
また第１コンベア（２１）には、ベルト回転用にモータ等の駆動手段（３５）が設けられており、この駆動手段（３５）が駆動することによって、コンベアベルト（３４）が回転駆動するように構成されている。
【００５０】
さらにコンベアベルト（３４）には、ワーク（Ｗ）を支持するための複数のワーク受具（３６）が所定の間隔おきに取り付けられている。このワーク受具（３６）は図４に示すように、上端部に正面視Ｖ字状の溝部（３７）が形成されており、このＶ溝部（３７）内にワーク（Ｗ）が無理なく収まることにより、ワーク（Ｗ）が受具（３６）に安定状態に支持されるようになっている。
【００５１】
一方図３に示すように、ベースフレーム（４１）の上流側には短い脚フレーム（４２）が立設されるとともに、下流側には長い脚フレーム（４４）が立設されている。上流側脚フレーム（４２）には、昇降駆動手段としてのシリンダ（４３）におけるピストンボディの基端側が回転自在に取り付けられており、このシリンダ（４３）のピストンロッド先端に、第１コンベア（２１）におけるサイドフレーム（３１）の下流側下端が回転自在に取り付けられている。さらに下流側脚フレーム（４４）の上端に、コンベアフレーム（３１）の下流側下端が回転自在に取り付けられている。
【００５２】
そして図３の想像線に示すように、シリンダ（４３）のピストンロッドが後退（収縮）した状態では、第１コンベア（２１）が水平姿勢に配置されるとともに、図３の実線に示すようにピストンロッドが進出（伸張）した状態では、第１コンベア（２１）がその上流側がピストンロッドに押し上げられて傾斜姿勢に配置される。
【００５３】
ここで、傾斜姿勢の第１コンベア（２１）はその傾斜角度が、上記ロール矯正機（１）から斜め下向きに排出されるワーク（Ｗ）の排出角度にほぼ一致するように構成されている。さらに傾斜姿勢の第１コンベア（２１）はその搬送面がロール矯正機（１）から排出されるワーク（Ｗ）の搬送方向延長線上に配置されている。
【００５４】
さらに第１コンベア（２１）が水平姿勢に配置された状態ではその搬送面が、後述する第２〜第４コンベア（２２）〜（２４）の搬送面と同一の水平面内に配置されるようになっている。
【００５５】
なお本実施形態において、第１コンベア（２１）の傾斜角度は、水平面からの仰角によって特定される。同様にロール矯正機（１）から排出されるワーク（Ｗ）の排出角度も、水平面からの仰角によって特定される。
【００５６】
また第１コンベア（２１）には、ワーク（Ｗ）の先端位置（前端位置）を検出するための先端位置検出センサー（４５）、ワーク（Ｗ）の後端位置（基端位置）を検出するための後端位置検出センサー（４６）、ワーク（Ｗ）を支持可能な位置にワーク受具（３６）を移動させるための受具原点復帰用センサー（４７）が設けられている。
【００５７】
本実施形態においては、先端位置検出センサー（４５）によって、ワーク前端検出器が構成されるとともに、後端位置検出センサー（４６）によって、ワーク後端検出器が構成されている。
【００５８】
図１，２に示すように、第２〜第４コンベア（２２）〜（２４）は、ワーク搬送方向に沿って配置された状態で、ベースフレーム（４１）に脚フレーム（４８）を介して水平状態にそれぞれ支持されている。
【００５９】
第２〜第４コンベア（２２）〜（２４）は、そのサイドフレーム（３１）の前後にベルトプーリー（３２）（３２）が回転自在に設けられており、両プーリー（３２）（３２）間にコンベアベルト（３４）が架け渡されている。さらにコンベアベルト（３４）には、上記と同様に、ワーク受具（３６）が所定の間隔おきに複数取り付けられるとともに、ワーク（Ｗ）を支持可能な位置にワーク受具（３６）を移動させるための受具原点復帰用センサー（４７）が設けられている。
【００６０】
さらに第２〜第４コンベア（２２）〜（２４）には、ベルト回転用にモータ等の駆動手段（３５）が設けられており、この駆動手段（３５）が駆動することによって、コンベアベルト（３４）が回転駆動するように構成されている。
【００６１】
本実施形態のワーク引取装置（２）は図５に示すように、パーソナルコンピュータ等によって構成される制御装置（２０）を備えており、この制御装置（２０）は、各センサ（４５）（４６）（４７）からの出力情報に基づいて、駆動手段（３５）やシリンダ（４３）等の各駆動部の駆動を制御して、後述する動作が自動的に行われる。
【００６２】
さらに上記ロール矯正機（１）の制御装置（１０）と、上記ワーク引取装置（２）の制御装置（２０）とは通信手段を介して接続されており、制御装置（１０）（２０）間において、信号の送受信を行うことにより、ワーク矯正引取設備全体として統括的な動作が行われるようになっている。
【００６３】
なお、本実施形態においては、１つの制御装置（２０）によって、第１〜第４コンベア（２１）〜（２４）の駆動を制御するようにしているが、それだけに限られず、本発明においては、第１〜第４コンベア（２１）〜（２４）をそれぞれ個別の制御装置によって制御するようにしても良い。この場合言うまでもなく、各制御装置を通信手段によって接続して、各制御装置間で信号の送受信を行うようにすれば良い。
【００６４】
さらに各制御装置（１０）（２０）の上位にホストコンピュータ等の上位制御装置を設けて、その上位制御装置によって、各制御装置を管理するようにしても良い。
【００６５】
次に本実施形態のワーク矯正引取設備における動作について説明する。なお動作開始前の初期状態においては、ワーク引取装置（２）における第１コンベア（２１）は、そのコンベア（３）が水平姿勢に配置されるとともに、各コンベア（２１）〜（２４）の各コンベアベルト（３４）の回転は停止している。
【００６６】
この状態において、オペレータによって与えられる動作開始指令に応答して制御装置（１０）（２０）が作動し、制御動作が開始される。これによりまず、ワーク受取装置（２）における第１コンベア（２１）のシリンダ（４３）が進出駆動されて、図１，３に示すように傾斜姿勢に配置される（図６のステップＳ１）。
【００６７】
続いて各コンベアベルト（３４）における適当なワーク受具（３６）を、ワーク（Ｗ）を支持可能な位置（原点位置）に移動させる。すなわち各コンベア（２１）〜（２４）におけるベルト回転用駆動手段（３５）が駆動して、各コンベアベルト（３４）が回転する。そして適当なワーク受具（３６）が、原点復帰用センサー（４７）の位置（原点位置）に到達した際には、その旨の信号がセンサー（４７）から制御装置（２０）に送信される。この信号を受け取った制御装置（２０）は、対応するコンベア（２１）〜（２４）における駆動手段（３５）の駆動を停止させて、コンベアベルト（３４）の回転を停止させる。これにより所定のワーク受具（３６）が原点位置に復帰される（ステップＳ２）。なお言うまでもなく、この原点復帰操作は、第１〜第４コンベア（２１）〜（２４）の全てに対して行われる。
【００６８】
こうしてワーク受具（３６）の原点復帰操作が完了して、ワーク受取可能状態となると、その旨の信号が、制御装置（２０）から矯正機（１）側の制御装置（１０）に送信される。これによりロール矯正機（１）側のワーク投入装置（図示省略）によって、ワーク（Ｗ）がロール矯正機（１）内に投入される（ステップＳ３）。
【００６９】
こうして矯正機（１）に投入されたワーク（Ｗ）は、各矯正ロール（１１）〜（１５）を通過することによって矯正された後、出口（１７）から排出されていく。
【００７０】
矯正機出口（１７）から排出されていくワーク（Ｗ）の前端が、第１コンベア（２１）の先端位置検出センサー（４５）を通過すると、その旨の信号がセンサー（４５）から制御装置（２０）に送信される。この信号を受け取った制御装置（２０）は、第１コンベア（２１）を起動させてコンベアベルト（３４）を回転させる（ステップＳ４）。
【００７１】
続いて、排出されるワーク（Ｗ）の前端部が、所定のワーク受具（３６）に支持されるとともに、その支持状態でワーク（Ｗ）が第１コンベア（２１）により前方へ搬送されていく（ステップＳ５）。
【００７２】
ここで本実施形態においては、傾斜姿勢の第１コンベア（２１）が、矯正機（１）から斜め下向きに排出されるワーク（Ｗ）の排出方向延長線上に配置されているため、ワーク（Ｗ）が第１コンベア（２１）に受け渡される際に、ワーク（Ｗ）に対し不用意な外力が発生することがない。従ってワーク（Ｗ）が外力を受けた状態で、矯正ロール（１５）を通過するような不具合を防止できる。つまり、ワーク（Ｗ）を不要な外力が加わらない自然な状態で矯正ロール（１５）に通過させることができるため、ワーク（Ｗ）の矯正を正確に行うことができる。
【００７３】
一方、制御装置（２０）に設けられるタイマーによって、第１コンベア（２１）による起動（搬送駆動）が開始された時点からの経過時間が計測されており、このコンベア起動時間が、予め設定された所定の時間に達すると、第２コンベア（２２）の起動（搬送駆動）が開始される。
【００７４】
なお予め設定される所定の時間は、コンベア（２１）による搬送速度と搬送距離とに基づいて求められるものであり、この所定の時間にコンベア起動時間が達した際には、第１コンベア（２１）によって搬送されるワーク（Ｗ）の前端が、第２コンベア（２２）に到達するようになっている。以下の第３，第４コンベア（２３）（２４）においても同様である。
【００７５】
第２コンベア（２２）の駆動が開始された後、、第１コンベア（２１）から搬出されるワーク（Ｗ）の前端部が、第２コンベア（２２）の所定のワーク受具（３６）に支持されるとともに、その支持状態でワーク（Ｗ）が第２コンベア（２２）によって搬送されていく（ステップＳ６）。
【００７６】
また制御装置（２０）は、上記と同様に、第２コンベア（２２）が起動してからの経過時間を計測しており、その起動時間が所定の時間に達すると、つまり第２コンベア（２２）によって搬送されるワーク（Ｗ）の前端が、第３コンベア（２３）に到達すると、第３コンベア（２３）が起動される。
【００７７】
そして第２コンベア（２２）から搬出されるワーク（Ｗ）の前端部が、第３コンベア（２３）の所定のワーク受具（３６）に支持されるとともに、その支持状態でワーク（Ｗ）が第３コンベア（２３）によって搬送されていく（ステップＳ７）。
【００７８】
さらに制御装置（２０）は、上記と同様に、第３コンベア（２３）の起動時間を計測しており、その起動時間が所定の時間に達すると、第４コンベア（２４）が起動される。
【００７９】
そして第３コンベア（２３）から排出されるワーク（Ｗ）の前端部が、第４コンベア（２４）の所定のワーク受具（３６）に支持されるとともに、その支持状態でワーク（Ｗ）が第４コンベア（２４）によって搬送されていく（ステップＳ８）。
【００８０】
こうして第１〜第４コンベア（２１）〜（２４）によってワーク（Ｗ）が搬送されていき、ワーク（Ｗ）の後端がロール矯正機（１）から排出されて、そのワーク後端が、第１コンベア（２１）の後端位置検出センサー（４７）を通過すると、その旨の信号が制御装置（２０）に送信される。この信号を受け取った制御装置（２０）は、第１〜第４コンベア（２１）〜（２４）の全てのコンベアベルト（３４）の回転を停止させる（ステップＳ９）。
【００８１】
その後、第１コンベア（２１）のシリンダ（４３）が後退駆動されて、図２に示すように水平姿勢に戻される（ステップＳ１０）。
【００８２】
これによりロール矯正機（１）からワーク受取装置（２）へのワーク（Ｗ）の受け渡しが終了する。
【００８３】
こうしてワーク受取装置（２）に移載されたワーク（Ｗ）は、図示しない移載装置によって他の装置例えば、ワーク定尺切断装置等に移載されて、次の加工が行われる。
【００８４】
以上のようにこの実施形態のワーク引取装置（２）によれば、矯正機（１）から排出されたワーク（Ｗ）を受け取る際には、ワーク（Ｗ）の排出角度に合わせて、第１コンベア（２１）を傾斜させているため、第１コンベア（２１）がワーク（Ｗ）の排出方向の延長線上に沿うよう配置される。このためワーク（Ｗ）が第１コンベア（２１）に受け渡される際に、ワーク（Ｗ）に対し不用意な上向きの外力が発生するのを防止でき、矯正ロール（１５）を通過するワーク（Ｗ）に、外力による悪影響が及ぶのを確実に防止することができる。つまり、ワーク（Ｗ）を、不要な外力が加わらない自然な状態で矯正ロール（１５）に通過させることができ、ワーク（Ｗ）の矯正を正確に行うことができる。
【００８５】
さらに本実施形態のワーク引取装置（２）においては、互いに独立状態に配置される第１〜第４コンベア（２１）〜（２４）によって構成しているため、短いワーク（Ｗ）を引き取る場合には、例えば第４コンベア（２４）を使用しなかったり、あるいは非常に長いワーク（Ｗ）を引き取る場合には第４コンベア（２４）の下流側に他のコンベアを追加したり、各コンベア（２１）〜（２４）間の間隔を広く設定したりすることによって、あらゆるワーク（Ｗ）に適宜対応することができ、優れた汎用性を備えている。
【００８６】
さらに各コンベア（２１）〜（２４）間に、移載装置の部位を配置することも可能であり、移載装置の設置を容易に行うことができる。
【００８７】
なお上記実施形態においては、ワーク引取装置（２）をロール矯正機（１）の出側に配置する場合を例に挙げて説明したが、それだけに限られず、本発明においては、ロール矯正機以外のワーク加工機の出側に、ワーク引取装置を配置するようにしても良い。
【００８８】
また上記実施形態においては、丸パイプ状のワーク（Ｗ）を処理する場合を例に挙げて説明したが、それだけに限られず、本発明においては、角パイプ状のワークや、中実な丸棒や角棒状のワークのほか、Ｈ型鋼やＩ型鋼等の形鋼材からなるワークも処理することができる。
【００８９】
また上記実施形態においては、ワーク引取装置（２）を４台のコンベア（２１）〜（２４）によって構成する場合を例に挙げて説明したが、それだけに限られず、本発明において、ワーク引取装置は、第１コンベアを含む２台または３台、あるいは５台以上のコンベアによって構成するようにしても良い。
【００９０】
さらに上記実施形態においては、各コンベアは互いに独立した状態に構成されているが、それだけに限られず、本発明においては、複数のコンベアの全てまたは一部が連結されていたり、一体化されていても良い。
【産業上の利用可能性】
【００９１】
この発明のワーク引取装置は、例えばロール矯正機等のワーク加工機から排出されるワークを引き取る際に用いられる。
【図面の簡単な説明】
【００９２】
【図１】この発明の実施形態であるワーク矯正引取設備において第１コンベアのコンベアを傾斜させた状態で示す側面図である。
【図２】実施形態のワーク矯正引取設備において第１コンベアを水平に配置した状態で示す側面図である。
【図３】実施形態の第１コンベアを示す側面図である。
【図４】実施形態の第１コンベアにおけるワーク受具を示す正面図である。
【図５】実施形態におけるワーク矯正引取設備の制御系統を示すブロック図である。
【図６】実施形態におけるワーク矯正引取設備の動作を説明するためのフローチャートである。
【図７】従来のワーク矯正引取設備を示す側面図である。
【符号の説明】
【００９３】
１…ロール矯正機（ワーク加工機）
２…ワーク引取装置
２１…第１コンベア（上流側搬送機、１番目のコンベア）
２２〜２４…第２〜第４コンベア（下流側搬送機）
３２，３３…コンベアプーリー
３４…コンベアベルト
３６…ワーク受具
４１…ベースフレーム
４３…シリンダ（昇降駆動手段）
４５…先端位置検出センサー（ワーク前端検出器）
４６…後端位置検出センサー（ワーク後端検出器）
Ｗ…ワーク
【図１】
2008161892.tif 000003
【図２】
2008161892.tif 000004
【図３】
2008161892.tif 000005
【図４】
2008161892.tif 000006
【図５】
2008161892.tif 000007
【図６】
2008161892.tif 000008
【図７】
2008161892.tif 000009